(57)【要約】【課題】漏気を抑制しながら室内空間の温度及び湿度を調整できる空調システムの提供。【解決手段】空調システムであって、除湿装置Ｄは、室内空間７から取り込んだ室内空気を、調湿部Ｗを経由して室内空間７に供給し、及び、室外空間８から取り込んだ室外空気を、冷却部Ｃを経由して室外空間８に排出する除湿運転を行うことができ、運転制御装置は、除湿運転において、室内空間７の温度及び湿度が所定の目標温度及び目標湿度となるように、室内空間７から調湿部Ｗに取り込んで室内空間７に供給する単位時間当たりの空気量である調湿空気量を調節し、及び、室外空間８から冷却部Ｃに取り込んで室外空間８に排出する単位時間当たりの空気量である冷却空気量を調湿空気量に応じて定められる規定量に調節し、室内空間７の温度が目標温度よりも低くなる又は低くなると予測される低温条件が満たされるとき、冷却空気量を規定量よりも少なくする。【選択図】図１
2018165603.tif 000002
【特許請求の範囲】
【請求項１】
通過する吸着用空気の水分を吸着又は通過する再生用空気に水分を脱着する調湿部、及び、通過する冷却用空気にて前記調湿部の吸着に伴う吸着熱を吸収する冷却部を有する調湿素子を有する除湿装置と、
前記除湿装置の運転を制御する運転制御装置とを備える空調システムであって、
前記除湿装置は、室内空間から取り込んだ室内空気を、前記調湿部を経由して前記室内空間に供給し、及び、室外空間から取り込んだ室外空気を、前記冷却部を経由して前記室外空間に排出する除湿運転を行うことができ、
前記運転制御装置は、前記除湿運転において、
前記室内空間の温度及び湿度が所定の目標温度及び目標湿度となるように、前記室内空間から前記調湿部に取り込んで前記室内空間に供給する単位時間当たりの空気量である調湿空気量を調節し、及び、前記室外空間から前記冷却部に取り込んで前記室外空間に排出する単位時間当たりの空気量である冷却空気量を前記調湿空気量に応じて定められる規定量に調節し、
前記室内空間の温度が前記目標温度よりも低くなる又は低くなると予測される低温条件が満たされるとき、前記冷却空気量を前記規定量よりも少なくする空調システム。
【請求項２】
前記運転制御装置は、前記室外空間の温度が所定の下限外気温度以下であるとき前記低温条件が満たされると判定する請求項１に記載の空調システム。
【請求項３】
前記運転制御装置は、前記冷却空気量を前記規定量に調節した状態で前記除湿運転を行った状態で、前記室内空間に供給する空気の温度が前記目標温度よりも低いとき前記低温条件が満たされると判定する請求項１に記載の空調システム。
【請求項４】
冷媒が循環する圧縮機及び凝縮器及び膨張器及び蒸発器を有し、前記蒸発器において前記室内空気を冷却する冷房運転を行うことができる冷房装置を備え、
前記運転制御装置は、前記除湿装置の前記除湿運転を行っているとき、前記室内空間の温度が前記目標温度よりも高くなる又は高くなると予測される高温条件が満たされるとき、前記冷房装置による冷房運転を、前記蒸発器での蒸発温度が前記室内空気の露点よりも高くなる状態で行わせる請求項１〜３の何れか一項に記載の空調システム。
【請求項５】
前記運転制御装置は、前記室外空間の温度が所定の上限外気温度以上であるとき前記高温条件が満たされると判定する請求項４に記載の空調システム。
【請求項６】
前記運転制御装置は、前記冷却空気量を前記規定量に調節した状態で前記除湿運転を行った状態で、前記室内空間に供給する空気の温度が前記目標温度よりも高いとき前記高温条件が満たされると判定する請求項４に記載の空調システム。
【発明の詳細な説明】
【技術分野】
【０００１】
本発明は、通過する吸着用空気の水分を吸着又は通過する再生用空気に水分を脱着する調湿部、及び、通過する冷却用空気にて調湿部の吸着に伴う吸着熱を吸収する冷却部を有する調湿素子を有する除湿装置と、除湿装置の運転を制御する運転制御装置とを備える空調システムに関する。
【背景技術】
【０００２】
特許文献１には、通過する吸着用空気の水分を吸着又は通過する再生用空気に水分を脱着する調湿部、及び、通過する冷却用空気にて調湿部の吸着に伴う吸着熱を吸収する冷却部を有する調湿素子を有する除湿装置と、除湿装置の運転を制御する運転制御装置とを備える空調システムが記載されている。このような除湿装置を用いることで、調湿部で水分の吸着が行われて吸着熱が発生しても、冷却部でその冷却を行いながら、吸着用空気の除湿を行うことができる。
【０００３】
また、特許文献１に記載の空調システムでは、室外空間から取り込んだ空気を調湿部に流して除湿を行った後で室内空間に供給し、室内空間から取り込んだ空気を冷却部に流した後で室外空間に排出している。更に、空調システムは二つの調湿素子を備えており、一方の調湿素子を用いて除湿を行っている間は他方の調湿素子の調湿部の再生を行い、除湿運転に用いる調湿素子を交互に入れ替えることで、除湿運転を連続的に行える構成にしている。
【先行技術文献】
【特許文献】
【０００４】
【特許文献１】特開２０１７−０１５３６８号公報
【発明の概要】
【発明が解決しようとする課題】
【０００５】
特許文献１に記載の空調システムでは、除湿運転に用いる除湿用の調湿素子と再生用の調湿素子とが交互に入れ替わるように空気の流路を変更するために、複雑な構成の空気通路や多数のダンパなどが必要になる。そして、多数のダンパ等の部位での漏気が生じると、空調システム全体としての空気のロスが多くなるという問題がある。
【０００６】
また、除湿装置を用いて室内空間の温度及び湿度を目標温度及び目標湿度へと近付けるためには、調湿部を流れる空気量や冷却部を流れる空気量を調節する必要がある。ところが、特許文献１に記載の空調システムでは、室外空間から取り出す空気量と室内空間へ供給する空気量とを同量にしなければ室内空間の圧力を一定に保つことができない。そして、特許文献１に記載の空調システムのような装置構成において、室内空間から取り込んだ空気と室外空間から取り込んだ空気とを除湿用の調湿素子と再生用の調湿素子と分けて流しながら、室外空間から取り出す空気量と室内空間へ供給する空気量とを自在に変更することは容易ではない。
【０００７】
本発明は、上記の課題に鑑みてなされたものであり、その目的は、漏気を抑制しながら、室内空間の温度及び湿度を調整できる空調システムを提供する点にある。
【課題を解決するための手段】
【０００８】
上記目的を達成するための本発明に係る空調システムの特徴構成は、通過する吸着用空気の水分を吸着又は通過する再生用空気に水分を脱着する調湿部、及び、通過する冷却用空気にて前記調湿部の吸着に伴う吸着熱を吸収する冷却部を有する調湿素子を有する除湿装置と、前記除湿装置の運転を制御する運転制御装置とを備える空調システムであって、
前記除湿装置は、室内空間から取り込んだ室内空気を、前記調湿部を経由して前記室内空間に供給し、及び、室外空間から取り込んだ室外空気を、前記冷却部を経由して前記室外空間に排出する除湿運転を行うことができ、
前記運転制御装置は、前記除湿運転において、前記室内空間の温度及び湿度が所定の目標温度及び目標湿度となるように、前記室内空間から前記調湿部に取り込んで前記室内空間に供給する単位時間当たりの空気量である調湿空気量を調節し、及び、前記室外空間から前記冷却部に取り込んで前記室外空間に排出する単位時間当たりの空気量である冷却空気量を前記調湿空気量に応じて定められる規定量に調節し、前記室内空間の温度が前記目標温度よりも低くなる又は低くなると予測される低温条件が満たされるとき、前記冷却空気量を前記規定量よりも少なくする点にある。
【０００９】
上記特徴構成によれば、室内空間から室内空気を取り込み、調湿素子により室内空気から水分を吸着して、水分が吸着された室内空気を室内空間に供給している。つまり、室内空間からの室内空気の取り込み、調湿素子による室内空気からの水分の吸着、水分が吸着された室内空気の室内空間への供給というサイクルを繰り返すことにより、除湿運転を行っている。このような構成により、室内空間から調湿素子に供給される室内空気は、次第に除湿された室内空気となっていくので、除湿運転において調湿素子に掛かる負荷が次第に小さくなっていくのであり、１個の調湿素子であっても室内空間の除湿が充分に行われる。
【００１０】
また、空調システムとして１個の調湿素子により室内空間の除湿が行われることによって、特許文献１のように、２個の調湿素子を吸着側素子及び再生側素子に交互に切り替えて使用する為の多数の通路やダンパを備えた状態よりも、通路やダンパを少なくすることができる。このような構成により、空調システムの全体の構成の簡素化を図ることができる。これに加えて、ダンパが少なくなることにより、各ダンパでの空気の漏れを積算した総量を少なくすることができて、空調システムの全体の性能の向上を図ることができる。
【００１１】
更に、運転制御装置は、除湿運転において、室内空間の温度及び湿度が所定の目標温度及び目標湿度となるように、室内空間から調湿部に取り込んで室内空間に供給する単位時間当たりの空気量である調湿空気量を調節し、及び、室外空間から冷却部に取り込んで室外空間に排出する単位時間当たりの空気量である冷却空気量を調湿空気量に応じて定められる規定量に調節するが、室内空間の温度が目標温度よりも低くなる又は低くなると予測される低温条件が満たされるとき、冷却空気量を規定量よりも少なくする。つまり、冷却空気量を規定量よりも少なくすることで、調湿部に対する冷却部による冷却能力を低下させる。その結果、調湿部での除湿能力は低下するが、室内空間に供給される空気の温度は、冷却空気量が規定量になっている場合よりも高くなって、目標温度により近づくことを期待できる。
従って、漏気を抑制しながら、室内空間の温度及び湿度を調整できる空調システムを提供できる。
【００１２】
本発明に係る空調システムの別の特徴構成は、前記運転制御装置は、前記室外空間の温度が所定の下限外気温度以下であるとき前記低温条件が満たされると判定する点にある。
【００１３】
冷却部には室外空間の空気が導入されるため、その空気の温度が低いほど調湿部に対する冷却部による冷却能力が高くなり、その結果、室内空間の温度が目標温度よりも低くなる可能性が高くなる。
そこで本特徴構成では、運転制御装置は、室外空間の温度が所定の下限外気温度以下であるとき上記低温条件が満たされると判定して、冷却空気量を規定量よりも少なくする。その結果、冷却空気量が規定量になっているときよりも、室内空間に供給される空気の温度が高くなるため、室内空間の温度が目標温度に近づくことになる。
【００１４】
本発明に係る空調システムの更に別の特徴構成は、前記運転制御装置は、前記冷却空気量を前記規定量に調節した状態で前記除湿運転を行った状態で、前記室内空間に供給する空気の温度が前記目標温度よりも低いとき前記低温条件が満たされると判定する点にある。
【００１５】
上記特徴構成によれば、冷却空気量を規定量に調節した状態で除湿運転を行った状態で、室内空間に供給する空気の温度が目標温度よりも低い場合には、上記低温条件が満たされると判定して、冷却空気量を規定量よりも少なくする。その結果、冷却空気量が規定量になっているときよりも、室内空間に供給される空気の温度が高くなるため、室内空間の温度が目標温度に近づくことになる。
【００１６】
本発明に係る空調システムの更に別の特徴構成は、冷媒が循環する圧縮機及び凝縮器及び膨張器及び蒸発器を有し、前記蒸発器において前記室内空気を冷却する冷房運転を行うことができる冷房装置を備え、
前記運転制御装置は、前記除湿装置の前記除湿運転を行っているとき、前記室内空間の温度が前記目標温度よりも高くなる又は高くなると予測される高温条件が満たされるとき、前記冷房装置による冷房運転を、前記蒸発器での蒸発温度が前記室内空気の露点よりも高くなる状態で行わせる点にある。
【００１７】
上記特徴構成によれば、上記高温条件が満たされるとき、冷房装置による冷房運転を行うことで、室内空間の温度が目標温度に近づくことになる。また、冷房装置は、蒸発器での蒸発温度が室内空気の露点よりも高くなる状態で冷房運転を行うので、冷房装置は空気の温度を低下させるために運転し、空気中の水分を凝縮させるための運転を行わない点で好ましい。
【００１８】
本発明に係る空調システムの更に別の特徴構成は、前記運転制御装置は、前記室外空間の温度が所定の上限外気温度以上であるとき前記高温条件が満たされると判定する点にある。
【００１９】
冷却部には室外空間の空気が導入されるため、その空気の温度が高いほど調湿部に対する冷却部による冷却能力が低くなり、その結果、室内空間の温度が目標温度よりも高くなる可能性が高くなる。
そこで本特徴構成では、運転制御装置は、室外空間の温度が所定の上限外気温度以上であるとき上記高温条件が満たされると判定して、冷房装置の運転を行わせる。その結果、室内空間の温度が目標温度に近づくことになる。
【００２０】
本発明に係る空調システムの更に別の特徴構成は、前記運転制御装置は、前記冷却空気量を前記規定量に調節した状態で前記除湿運転を行った状態で、前記室内空間に供給する空気の温度が前記目標温度よりも高いとき前記高温条件が満たされると判定する点にある。
【００２１】
上記特徴構成によれば、除湿装置が除湿運転を行った状態で、室内空間に供給する空気の温度が目標温度よりも高い場合には、上記高温条件が満たされると判定して、冷房装置を運転させる。その結果、冷房装置によって室内空間の空気の温度が低くなるため、室内空間の温度が目標温度に近づくことになる。
【図面の簡単な説明】
【００２２】
【図１】第１実施形態の空調システムの構成を示す図である。
【図２】運転制御装置と各部との連係状態を示す図である。
【図３】調湿素子の斜視図である。
【図４】調湿素子における調湿部及び冷却部の断面図である。
【図５】調湿素子の分解斜視図である。
【図６】除湿運転での空調システムの状態を示す回路図である。
【図７】再生運転での空調システムの状態を示す回路図である。
【図８】空調システム内を通流する空気の温度状態及び湿度状態の変化を示す空気線図である。
【図９】第２実施形態の空調システムの構成を示す図である。
【発明を実施するための形態】
【００２３】
＜第１実施形態＞
以下に図面を参照して本発明の第１実施形態に係る空調システムＳ１（Ｓ）について説明する。
図１及び図２に、第１実施形態の空調システムＳ１が示されている。第１実施形態の空調システムＳ１は、除湿装置Ｄと運転制御装置１０とを備える。除湿装置Ｄは、通過する吸着用空気の水分を吸着又は通過する再生用空気に水分を脱着する調湿部Ｗ、及び、通過する冷却用空気にて調湿部Ｗの吸着に伴う吸着熱を吸収する冷却部Ｃを有する調湿素子Ｅを有する。そして、除湿装置Ｄは、運転制御装置１０によってその動作が制御されて、室内空間７から取り込んだ室内空気を、調湿部Ｗを経由して室内空間７に供給し、及び、室外空間８から取り込んだ室外空気を、冷却部Ｃを経由して室外空間８に排出する除湿運転を行うことができる。また、除湿装置Ｄは、運転制御装置１０によってその動作が制御されて、室外空間８から取り込んだ室外空気が、加熱部２７で加熱された後に再生用空気として調湿部Ｗを通過し、その後、室外空間８に排出される再生運転を行うことができる。
【００２４】
本実施形態の空調システムＳ１は、室内空間７と室外空間８との間で構成されており、主要な機器として、１個の調湿素子Ｅと第１通路１１〜第６通路１６と第１ダンパ２１〜第６ダンパ２６と加熱部２７と第１送風機２９と第２送風機３０を有する除湿装置Ｄ、指令受付部９及び運転制御装置１０等を備えている。
【００２５】
図２に示すように、室内空間７の居住者が指令受付部９の操作スイッチ（図示せず）等を操作することによって、操作指令が指令受付部９から運転制御装置１０に出力されるのであり、操作指令に基づいて運転制御装置１０により室内空間７の除湿が行われる。
【００２６】
図１及び図２に示すように、室内空間７の除湿が行われる場合、運転制御装置１０によって、調湿素子Ｅにより室内空間７の除湿が行われる除湿運転と、水分を吸着した調湿素子Ｅの再生が行われる再生運転とが、自動的に交互に切り替えられて実行される。
【００２７】
図１及び図２に示すように、運転制御装置１０は、除湿運転及び再生運転において、第１ダンパ２１〜第６ダンパ２６、加熱部２７、第１送風機２９及び第２送風機３０を、後述する除湿運転及び再生運転のように操作する。
【００２８】
図１に示すように、室内空間７と室外空間８との間に空調システムＳ１が配置されている。
第１通路１１の上流側が、室内空間７と連通する室内取込口１７に接続され、第１通路１１の下流側が、調湿素子Ｅの調湿部Ｗの流入口Ｗａに接続されている。
第２通路１２の上流側が、調湿素子Ｅの調湿部Ｗの流出口Ｗｂに接続され、第２通路１２の下流側が、室内空間７と連通する室内供給口１８に接続されており、第２通路１２に第１送風機２９が備えられている。
【００２９】
図１に示すように、第３通路１３の上流側が、室外空間８と連通する室外取込口１９に接続され、第３通路１３の下流側が、調湿素子Ｅの冷却部Ｃの流入口Ｃａに接続されている。
第４通路１４の上流側が、調湿素子Ｅの冷却部Ｃの流出口Ｃｂに接続され、第４通路１４の下流側が、室外空間８と連通する室外排出口２０に接続されており、第４通路１４に第２送風機３０が備えられている。
【００３０】
図１に示すように、第３通路１３の途中の第１分岐部３１から、第５通路１５が分岐しており、第５通路１５が第１通路１１の途中の第１合流部３３に接続されており、第５通路１５に加熱部２７が備えられている。
第２通路１２の途中の第２分岐部３２から、第６通路１６が分岐しており、第６通路１６が、第４通路１４の途中の第２合流部３４に接続されている。
【００３１】
図１に示すように、空気を通す開位置及び空気を止める閉位置に操作自在な第１ダンパ２１〜第６ダンパ２６が備えられている。
第１通路１１において室内取込口１７と第１合流部３３との間に、第１ダンパ２１が備えられている。第２通路１２において第２分岐部３２と第１送風機２９との間に、第２ダンパ２２が備えられている。
【００３２】
図１に示すように、第３通路１３において第１分岐部３１と調湿素子Ｅの冷却部Ｃの流入口Ｃａとの間に、第３ダンパ２３が備えられている。第４通路１４において調湿素子Ｅの冷却部Ｃの流出口Ｃｂと第２合流部３４との間に、第４ダンパ２４が備えられている。
【００３３】
図１に示すように、第５通路１５において加熱部２７と第１合流部３３との間に、第５ダンパ２５が備えられている。第６通路１６において第２分岐部３２と第２合流部３４とに間に、第６ダンパ２６が備えられている。
【００３４】
図３及び図４及び図５に示すように、調湿素子Ｅには、平面視で六角形状に形成された複数の平板部材１が備えられて、平板部材１の間に調湿部Ｗと冷却部Ｃとが交互に形成されている。図３及び図５では、６枚の平板部材１の間に、２層の調湿部Ｗ及び３層の冷却部Ｃが交互に形成された状態が示されている。通常の実用レベルでは、例えば５０枚以上の平板部材１が積層されて、２５層以上の調湿部Ｗ及び冷却部Ｃが交互に形成されることが想定される。
【００３５】
図３及び図４及び図５に示すように、調湿部Ｗにおいて、波板状に成形された誘導部材３が平板部材１に取り付けられており、平板部材１の外周部の４箇所に側壁部材２が取り付けられて、流入口Ｗａ及び流出口Ｗｂが形成されている。平板部材１の上面及び下面、誘導部材３の上面及び下面に、吸湿剤５が保持されている。
【００３６】
図３及び図４及び図５に示すように、冷却部Ｃにおいて、波板状に成形された誘導部材４が平板部材１に取り付けられており、平板部材１の外周部の４箇所に側壁部材２が取り付けられて、流入口Ｃａ及び流出口Ｃｂが形成されている。平板部材１の上面及び下面に、金属膜６が形成されている。
【００３７】
図３及び図４及び図５に示すように、調湿部Ｗ及び冷却部Ｃにおいて、誘導部材３，４が同じ方向に沿うように配置されているのに対して、調湿部Ｗの流入口Ｗａ及び流出口Ｗｂと、冷却部Ｃの流入口Ｃａ及び流出口Ｃｂとは、互いに逆の配置となっている。
【００３８】
平板部材１、側壁部材２及び誘導部材３，４は、例えば、ポリプロピレン、ポリエチレン、ポリエチレンテレフタレート等の樹脂を材料として、５０ミクロン程度の板厚の薄板によって構成されている。
吸湿剤５としては、例えば、架橋構造を有するポリアクリル酸ナトリウム等のポリアクリル酸系の樹脂を主成分とする材料が用いられる。
【００３９】
平板部材１及び誘導部材３，４と吸湿剤５とのバインダとして、吸湿剤５を構成する材料と極性が近く、吸湿剤５の体積変化やヒートサイクルに耐えることができるような柔軟性を有した材料が用いられる。
吸湿剤５としてポリアクリル酸系の樹脂が用いられる場合、バインダとしては、水性ウレタン樹脂、ポリ酢酸ビニル、エチレン−酢酸ビニル共重合体等の材料が用いられるのであり、前述の材料を混合した材料をバインダとして用いることもできる。
【００４０】
水性ウレタン樹脂等の材料で構成されたバインダとポリアクリル酸ナトリウムとを含む混合液を、平板部材１及び誘導部材３，４の表面に塗布することにより、ポリアクリル酸ナトリウムを平板部材１及び誘導部材３，４の表面に保持することができる。
金属膜６は、アルミニウム等の材質により、数ミクロン程度の厚さで構成されて、蒸着によって形成されており、金属膜６により平板部材１の伝熱面積が拡大されている。
【００４１】
上述のように、指令受付部９からの操作指令に基づいて運転制御装置１０により室内空間７の除湿が行われる場合、運転制御装置１０によって、除湿運転と再生運転とが、自動的に交互に切り替えられて実行される。
先ず除湿運転について説明する。
【００４２】
除湿運転において、図６に示すように、第１ダンパ２１、第２ダンパ２２、第３ダンパ２３、第４ダンパ２４が開位置に操作され、第５ダンパ２５、第６ダンパ２６が閉位置に操作される。第１送風機２９、第２送風機３０が作動状態に操作され、加熱部２７が停止状態に操作される。
【００４３】
図６に実線で示すように、室内空間７の室内空気が、室内取込口１７から吸着用空気として取り込まれ、吸着用空気が第１通路１１、第１ダンパ２１及び第１合流部３３を通り、調湿部Ｗの流入口Ｗａから調湿部Ｗに入る。
次に吸着用空気は、調湿部Ｗの流出口Ｗｂから調湿部Ｗを出て、第２通路１２、第２分岐部３２及び第２ダンパ２２を通り、第１送風機２９及び室内供給口１８から室内空間７に供給される。
【００４４】
図４及び図５に示すように、調湿部Ｗにおいて、吸着用空気が誘導部材３の間を通りながら、吸着用空気の水分が調湿部Ｗの吸湿剤５に吸着されるのであり（吸着用空気が除湿されるのであり）、除湿された吸着用空気が室内空間７に供給される。
これにより、室内空間７からの吸着用空気の取り込み、吸着用空気の水分の吸着、除湿された吸着用空気の室内空間７への供給が、連続的に繰り返して行われて、室内空間７の除湿が行われる。
【００４５】
前述のように、調湿部Ｗの吸湿剤５による吸着用空気の水分の吸着が行われると、調湿部Ｗに吸着熱が発生して、調湿部Ｗの吸着性能が低下することがある。
この場合、図６に破線で示すように、室外空間８の室外空気が、室外取込口１９から冷却用空気として取り込まれ、冷却用空気が第３通路１３、第１分岐部３１及び第３ダンパ２３を通り、冷却部Ｃの流入口Ｃａから冷却部Ｃに入る。
次に冷却用空気は、冷却部Ｃの流出口Ｃｂから冷却部Ｃを出て、第４通路１４、第４ダンパ２４及び第２合流部３４を通り、第２送風機３０及び室外排出口２０から室外空間８に排出される。
【００４６】
図４及び図５に示すように、冷却部Ｃにおいて、冷却用空気が誘導部材４の間を通りながら調湿部Ｗの吸着熱を吸収して、吸着熱を吸収した冷却用空気が室外空間８に排出される。これにより、調湿部Ｗが冷却されて、調湿部Ｗの吸着性能が高い状態に維持される。
【００４７】
図１及び図２及び図６に示すように、通過する空気の流量を検出する第１流量センサ３８が第１通路１１に備えられている。また、調湿部Ｗに流入する空気の湿度を検出する第１湿度センサ３６が第１通路１１の調湿部Ｗの流入口Ｗａの近傍に備えられ、調湿部Ｗから流出する空気の湿度を検出する第２湿度センサ３７が第２通路１２の調湿部Ｗからの流出口Ｗｂの近傍に備えられている。これら、第１流量センサ３８及び第１湿度センサ３６及び第２湿度センサ３７の検出値は運転制御装置１０に入力される。
【００４８】
これにより、第１湿度センサ３６の検出値（室内空間７から取り込まれた吸着用空気の湿度）と、第２湿度センサ３７の検出値（除湿された吸着用空気の湿度）との差、及び、調湿部Ｗに供給される吸着用空気の総量により、調湿部Ｗの吸湿剤５に吸着された水分の総量を演算することができる。
【００４９】
調湿部Ｗにおいて吸湿剤５が吸着できる水分の総量の限度は事前に把握することができるので、調湿部Ｗの吸湿剤５に吸着された水分の総量が前述の限度に達すると、調湿部Ｗにおいて吸湿剤５の水分の吸着が限度に達したと判断されて、運転制御装置１０により、除湿運転から後述する再生運転への切り替えが行われる。
【００５０】
再生運転において、図７に示すように、第５ダンパ２５、第６ダンパ２６が開位置に操作され、第１ダンパ２１、第２ダンパ２２、第３ダンパ２３、第４ダンパ２４が閉位置に操作される。第２送風機３０、加熱部２７が作動状態に操作され、第１送風機２９が停止状態に操作される。
【００５１】
図７に実線で示すように、室外空間８の室外空気が、室外取込口１９から再生用空気として取り込まれ、再生用空気が第３通路１３、第１分岐部３１、第５通路１５、加熱部２７、第５ダンパ２５、第１合流部３３及び第１通路１１を通り、調湿部Ｗの流入口Ｗａから調湿部Ｗに入る。
次に再生用空気は、調湿部Ｗの流出口Ｗｂから調湿部Ｗを出て、第２通路１２、第２分岐部３２、第６通路１６、第６ダンパ２６、第２合流部３４、第４通路１４を通り、第２送風機３０及び室外排出口２０から室外空間８に排出される。
【００５２】
図４及び図５及び図７に示すように、加熱部２７において熱媒通路２８を循環する熱媒により、再生用空気が加熱されて、加熱された再生用空気が調湿部Ｗに入る。これにより、加熱された再生用空気により調湿部Ｗの吸湿剤５から水分が脱着されるのであり、調湿部Ｗの吸湿剤５の水分を脱着した再生用空気が室外空間８に排出される。
【００５３】
図１及び図２及び図７に示すように、第１湿度センサ３６により、室外空間８から取り込まれた再生用空気の湿度が検出されており、第１湿度センサ３６の検出値が運転制御装置１０に入力されている。また、第２湿度センサ３７により、調湿部Ｗの流出口Ｗｂから出てくる再生用空気の湿度が検出されて、第２湿度センサ３７の検出値が運転制御装置１０に入力されている。
【００５４】
これにより、第１湿度センサ３６の検出値と第２湿度センサ３７の検出値との差が無くなると、調湿部Ｗの吸湿剤５の水分が充分に脱着されたと判断されて、運転制御装置１０により、再生運転から前述の除湿運転への切り替えが行われる。
以上のようにして、運転制御装置１０により、除湿運転と再生運転とが自動的に交互に切り替えられて実行される。
【００５５】
運転制御装置１０は、室内空間７から調湿部Ｗに取り込んで室内空間７に供給する単位時間当たりの空気量である調湿空気量と、室外空間８から冷却部Ｃに取り込んで室外空間８に排出する単位時間当たりの空気量である冷却空気量とを調節する。調湿空気量は第１流量センサ３８によって測定でき、冷却空気量は第２流量センサ３９によって測定できる。そして、運転制御装置１０は、除湿運転において、室内空間７の温度及び湿度が所定の目標温度及び目標湿度となるように調湿空気量を調節し、及び、調湿空気量に応じて定められる規定量に冷却空気量を調節する。
【００５６】
図８は、空調システムＳ１内を通流する空気の温度状態及び湿度状態の変化を示す空気線図である。
図８の状態Ａ１は、除湿装置Ｄが室内空間７から取り込んだ空気、即ち、調湿素子Ｅの調湿部Ｗで処理される吸着用空気に対応する。この状態Ａ１の吸着用空気は、温度２６℃及び相対湿度５５％の状態にある。
図８の状態Ｂ１は、除湿装置Ｄが室外空間８から取り込んだ空気、即ち、調湿素子Ｅの冷却部Ｃを流れる冷却用空気に対応する。この状態Ｂ１の冷却用空気は、温度２５℃及び相対湿度８０％の状態にある。また、図８の状態Ｂ２も冷却用空気の例であり、温度３１℃及び相対湿度６５％の状態にある。
【００５７】
〔状態Ａ１→状態Ａ２〕
図８の状態Ａ２は、冷却部Ｃに対して状態Ｂ１の冷却用空気を流しながら状態Ａ１の吸着用空気に対する除湿を行った場合に得られる空気、即ち、調湿部Ｗでの除湿後に室内空間７に供給される空気の状態を示す。この場合、温度２５℃及び相対湿度８０％の室外空気が調湿素子Ｅの冷却部Ｃを経由して流れる。また、状態Ｂ１の冷却用空気は、状態Ｂ２の冷却用空気よりも低温であるである。そのため、調湿素子Ｅの調湿部Ｗに対する冷却効果が相対的に大きくなる。そして、室内空間７から取り込んだ室内空気（状態Ａ１）が温度２６℃及び相対湿度５５％であったとき、調湿部Ｗに対する室外空気による冷却効果が大きいこともあり、調湿部Ｗを経由して室内空間７に供給されるときの空気（状態Ａ２）は、温度２７℃及び相対湿度３０％になっている。
【００５８】
〔状態Ａ１→状態Ａ３〕
図８の状態Ａ３は、冷却部Ｃに対して状態Ｂ２の冷却用空気を流しながら状態Ａ１の吸着用空気に対する除湿を行った場合に得られる空気の状態を示す。この場合、温度３１℃及び相対湿度６５％の室外空気が調湿素子Ｅの冷却部Ｃを経由して流れる。また、状態Ｂ２の冷却用空気は、状態Ｂ１の冷却用空気よりも高温である。そのため、調湿素子Ｅの調湿部Ｗに対する冷却効果は、上記状態Ｂ１の冷却用空気を用いた場合に比べて相対的に小さくなる。そして、室内空間７から取り込んだ室内空気（状態Ａ１）が温度２６℃及び相対湿度５５％であったとき、調湿部Ｗに対する室外空気による冷却効果が小さいこともあり、調湿部Ｗを経由して室内空間７に供給されるときの空気（状態Ａ３）は、温度３２℃及び相対湿度２５％になっている。また、調湿素子Ｅの調湿部Ｗに対する冷却効果が相対的に小さいため、室内空間７に供給されるときの空気の絶対湿度は実線で示す例と比較して大きくなっており、充分な除湿を行えていないことが分かる。
つまり、冷却部Ｃを流れる冷却用空気の単位時間当たりの空気量が同じであれば、状態Ｂ１の冷却用空気を用いた場合の方が、状態Ｂ２の冷却用空気を用いた場合よりも除湿能力及び冷却能力は高くなると言える。
【００５９】
以上のように、除湿装置Ｄが室内空間７へ供給する空気の温度は、室外空間８から取り込んだ室外空気の温度に依存する特徴がある。よって、室外空気の温度が低い場合には、除湿装置Ｄによる除湿運転を行うことで、室内空間７の温度が目標温度よりも低くなることがある。そこで本実施形態では、運転制御装置１０は、室内空間７の温度が目標温度よりも低くなる又は低くなると予測される低温条件が満たされるとき、冷却空気量を規定量よりも少なくする。つまり、冷却用空気による冷却能力を低下させる。
【００６０】
例えば、運転制御装置１０は、室外空間８の温度（第３温度センサＴ３で測定される温度）が所定の下限外気温度以下であるとき低温条件が満たされると判定する。
或いは、運転制御装置１０は、冷却空気量を規定量に調節した状態で除湿運転を行った状態で、室内空間７に供給する空気の温度（第２温度センサＴ２で測定される温度）が下限内気温度以下であるとき低温条件が満たされると判定する。
【００６１】
〔状態Ａ１→状態Ａ４〕
図８の状態Ａ４は、冷却部Ｃに対して状態Ｂ１の冷却用空気を流しながら状態Ａ１の吸着用空気に対する除湿を行った場合に得られる空気、即ち、調湿部Ｗでの除湿後に室内空間７に供給される空気の状態を示す。この場合、温度２５℃及び相対湿度８０％の室外空気が調湿素子Ｅの冷却部Ｃを経由して流れる。よって、室外空間８の温度（第３温度センサＴ３で測定される温度）が例えば２６℃以下であるという低温条件が満たされている。
【００６２】
この場合、上記低温条件が満たされているので、運転制御装置１０は、冷却部Ｃを流れる冷却用空気の単位時間当たりの空気量（冷却空気量）は、規定量よりも少なくしている。そして、室内空間７から取り込んだ室内空気（状態Ａ１）が温度２６℃及び相対湿度５５％であったとき、冷却空気量が規定量よりも少なくなることで、調湿部Ｗに対する室外空気による冷却効果が低下することもあり、調湿部Ｗを経由して室内空間７に供給されるときの空気（状態Ａ４）は、温度２９℃及び相対湿度２７．５％になっている。
このように、冷却空気量の調節を行うことで、室内空気の温度を目標温度に近付けることができる。
【００６３】
＜第２実施形態＞
第２実施形態の空調システムＳ２（Ｓ）は、冷房装置４０を更に備える点で上記実施形態の空調システムと異なっている。以下に第２実施形態の空調システムＳ２について説明するが、上記実施形態と同様の構成については説明を省略する。
【００６４】
図９は、第２実施形態の空調システムＳ２の構成を示す図である。図示するように、本実施形態の空調システムＳ２は、除湿装置Ｄと運転制御装置１０と冷房装置４０とを備える。このうち、除湿装置Ｄ及び運転制御装置１０は上記実施形態と同様であるので、それらの説明を省略する。
【００６５】
冷房装置４０は、冷媒が循環する圧縮機４１及び凝縮器４２及び膨張器４３及び蒸発器４４を有し、それらによって冷凍サイクルを構成する。そして、蒸発器４４において室内空気を冷却する冷房運転を行うことができる。本実施形態では、圧縮機４１及び凝縮器４２は室外機４０ｂに設置され、膨張器４３及び蒸発器４４は室内機４０ａに設置されている。そして、冷房装置では、圧縮機４１から送出された冷媒が、冷媒通路４５を通って凝縮器４２と膨張器４３と蒸発器４４とを順に通流した後で圧縮機４１に帰還するように循環させることで、蒸発器４４において、冷媒通路４５を流れる冷媒によって室内空間７の室内空気を冷却する冷房運転を行っている。
【００６６】
そして、運転制御装置１０は、除湿装置Ｄの除湿運転を行っているとき、室内空間７の温度（第１温度センサＴ１で測定される温度）が目標温度よりも高くなる又は高くなると予測される高温条件が満たされるとき、冷房装置４０による冷房運転を、蒸発器４４での蒸発温度が室内空気の露点よりも高くなる状態で行わせる。
【００６７】
例えば、運転制御装置１０は、室外空間８の温度（第３温度センサＴ３で測定される温度）が所定の上限外気温度以上であるとき高温条件が満たされると判定する。
或いは、運転制御装置１０は、冷却空気量を規定量に調節した状態で除湿運転を行った状態で、室内空間７に供給する空気の温度（第２温度センサＴ２で測定される温度）が上限外気温度以上であるとき高温条件が満たされると判定する。
【００６８】
冷房装置４０は、運転制御装置１０から、蒸発器４４での蒸発温度が室内空気の露点よりも高くなる状態で運転するように命令されると、圧縮機４１で、例えば最大出力の５０％や３０％などといった部分負荷運転を行わせる。これにより、蒸発器４４での蒸発温度が上記最大出力の場合よりも上昇して室内空気の露点よりも高くなることを期待できる。或いは、蒸発器４４での冷媒の蒸発温度を測定できる温度センサ（図示せず）と、室内空間７での空気の露点を測定できる露点温度計（図示せず）とから、冷房装置４０は蒸発器４４での冷媒の蒸発温度と室内空気の露点とを知ることができる。そして、冷房装置４０は、運転制御装置１０から、蒸発器４４での蒸発温度が室内空気の露点よりも高くなる状態での運転を指令されると、蒸発器４４での蒸発温度が室内空気の露点よりも高くなるように圧縮機４１の出力を調整させればよい。
【００６９】
以上のように、本実施形態では、上記高温条件が満たされるとき、冷房装置４０による冷房運転を行うことで、室内空間７の温度が目標温度に近づくことになる。また、冷房装置４０は、蒸発器４４での蒸発温度が室内空気の露点よりも高くなる状態で冷房運転を行うので、冷房装置４０は空気の温度を低下させるために運転し、空気中の水分を凝縮させるための運転を行わない点で好ましい。
【００７０】
＜別実施形態＞
＜１＞
上記実施形態では、空調システムの構成について具体例を挙げて説明したが、その構成については適宜変更可能である。
例えば、上記実施形態で説明した室内空気の流通経路や室外空気の流通経路やダンバの設置位置などは適宜変更可能である。
他にも、上記実施形態では、加熱部２７が熱媒通路２８を流れる熱媒の熱を利用して空気を昇温する例を説明したが、加熱部２７の構成を変更してもよい。例えば、加熱部２７が電気ヒーターを備え、その電気ヒーターから放出される熱を利用して空気を昇温するような構成を採用してもよい。
【００７１】
＜２＞
上記実施形態では、温度や湿度の具体的な数値を挙げて空調システムの説明を行ったが、それらの数値は例示目的で記載したものであり、それらの数値によって本発明は限定されない。
【００７２】
＜３＞
上記実施形態において、除湿運転と再生運転との切り替えタイミングを、時間によって決定してもよい。例えば、タイマー（図示せず）によって、除湿運転が開始されてからの運転時間を計測して、その運転時間が事前に設定された所定時間に達すると再生運転に切り替えることや、再生運転が開始されてからの運転時間を計測して、その運転時間が事前に設定された所定時間に達すると除湿運転に切り替えることを行ってもよい。
【００７３】
＜４＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００７４】
本発明は、漏気を抑制しながら、室内空間の温度及び湿度を調整できる空調システムに利用できる。
【符号の説明】
【００７５】
７  室内空間
８  室外空間
１０  運転制御装置
２７  加熱部
４０  冷房装置
４１  圧縮機
４２  凝縮器
４３  膨張器
４４  蒸発器
Ｃ  冷却部
Ｄ  除湿装置
Ｅ  調湿素子
Ｓ（Ｓ１，Ｓ２）  空調システム
Ｗ  調湿部
【図１】
2018165603.tif 000003
【図２】
2018165603.tif 000004
【図３】
2018165603.tif 000005
【図４】
2018165603.tif 000006
【図５】
2018165603.tif 000007
【図６】
2018165603.tif 000008
【図７】
2018165603.tif 000009
【図８】
2018165603.tif 000010
【図９】
2018165603.tif 000011